(57)【要約】 【課題】    植物の成長を促進し又、水、特定栄養物質の植物内部への取り込みを人為的に調節できる植物の促進方法を提供する。        【解決手段】植物、水、特定物質に周期的な変動磁場を１方向以上から作用させる方法であって、その作用させる交流磁界の周波数は０．０１Ｈｚ〜３００Ｈｚと１００μＴ以下の直流磁界を交差させることを特徴とした植物の成長促方法。        【選択図】  図２
2014014297.tif 000002
【特許請求の範囲】
【請求項１】
植物、水に周期的な変動磁場を１方向以上から作用させることを特徴とする植物の成長促進方法。     
【請求項２】
周期的な変動磁場は、直流成分と交流成分の重畳された３００Ｈｚ以下の周波数の磁場で印加させる請求項１記載の植物の成長促進方法。    
【請求項３】
重畳された変動磁場の交成磁界成分と直流磁界成分は、０°から９０°の交差角度で作用させる請求項１記載の植物の成長促進方法。 
【請求項４】
変動磁場の直流成分磁界と交流成分磁界は、植物の構成元素、特定物質の磁気分光、共鳴が可能な周波数と磁界で設定される請求項１記載の植物の成長促進方法。
【請求項５】
植物の構成物質、特定栄養物質の活性化をピンポイントで選択することが可能な請求項１記載の植物の成長促進方法。 
【発明の詳細な説明】
【技術分野】
【０００１】
本発明は、植物の成長促進方法に関する。  この方法によって植物の成長の促進ができ、また水、特定栄養物質（窒素、リン酸、カリウムなど）の植物内部への取り込みと光合成の促進を人為的に調節することである。                                   
【背景技術】
【０００２】
近年、植物の生産には、温室や植物工場で特定の野菜を高密度にかつ連続栽培する生産性の高い水耕栽培方式が増えつつある。                                        
【０００３】
従来の植物の成長促進は、光、温度、湿度、二酸化炭素、特定栄養物質の調節と音、磁界、電気などの外的刺激を与え成長促進をおこなうものがある。                  
【先行技術文献】
【特許文献】
【０００４】
磁気を利用した先行文献としては、次に挙げる発明がある。                
文献  １：特開昭６１−５６０３０号の磁石による『水産動植物の養殖法』でありその概要は、磁石板を用いて動植物の生活生理活動の活性化で育成の促進をすることである。
文献  ２：特開平３−１８３４１９号の『植物の生長促進方法』であり、その概要は、複数に変化する赤外線、低周波の交番磁界もしくは超低周波音波等の微粒子又は静電気の全部などを植物に提供することである。                                     
文献  ３：特開２００３−３１００５７号の『植物の育成方法』は植物に磁力又は電気による周期的な刺激を付与する育成方法をすることである。               
文献  ４：特開２００７−０５０００４号の『低周波刺激による光合成促進方法』は植物に４０Ｈｚ以下で光が点滅すことにより光合成の促進方法をすることである。    
文献  ５：特開２００８−６１６１４号の『農作物栽培促進装置』は生物体内外の水に超低周波微少磁界を印可してプロトンの長距離移動を実現しアデノシン三リン酸の向上で有用菌の活性化・成長促進を図る装置である。                        
【特許文献１】特開昭６１−５６０３０号公報
【特許文献２】特開平３−１８３４１９号公報
【特許文献３】特開２００３−３１００５７号公報
【特許文献４】特開２００７−０５０００４号公報
【特許文献５】特開２００８−６１６１４号公報
【発明の概要】
【発明が解決しようとする課題】
【０００５】
植物を生産するにあたり、その植物の成長を早め、生産性を高める事は重要である。植物の水、特定栄養物質の取り込みの能力を人為的に、ピンポイントで調節できれば効率的な生産が可能となる。                                
【０００６】
本発明の目的は、植物の成長を高めるとともに、水、特定栄養物質を植物内部に取り込み、光合成の向上を人為的に調節する手段を提供することである。                
【課題を解決するための手段】
【０００７】
本発明は、上記課題を解決するため磁気誘導が生じる変動磁場を１方向以上より植物、水、特定栄養物質に刺激を与えることにより、植物の成長を高めるとともに、それらを植物内部に取り込み、光合成の向上を人為的に調節する手段を提供することである。      
【０００８】
植物に外部より変動磁場を周期的に繰り返しに加えることにより、水、特定栄養物質、光合成の活性化を人為的に増進させる。                                 
【０００９】
又水、特定栄養物質、光合成が不足した場合においても本手段をもって成長を維持させ生産性を高めることが可能である。
【発明の効果】
【００１０】
本発明は植物、水の特定栄養物質に外部より変動磁場を作用させることにより植物を成長促進させる。又特定物質の選択が可能なため特定物質の欠乏や過剰においてもピンポイントで活性化をおこなうことも可能である
【図面の簡単な説明】
【００１１】
【図１】図１は本発明の変動磁場を用いた水耕栽培の模式図
【図２】図２は本発明のブロック図
【図３】図３は本発明の変動磁場の波形の一例
【図４】図４は永久磁石を用いた本発明の一例
【発明を実施するための形態】
【００１２】
以下本発明を詳細に説明する。                                          
【００１３】
本発明の成長促進方法は、植物に適応することができる。本発明は、植物に変動磁場を作用することを特徴とするものである。                          
【００１４】
前記変動磁場を周期的に繰り返し、交流成分磁界と直流成分磁界が互いに交差する方向より作用するものである。                                      
【００１５】
前記磁界は、図２のクロスコイル型ユニット７のａコイルからは直流磁界が作用し、ｂコイルからは交流磁界が作用し互いに直交される磁界を植物内部に取り込み、光合成の向上を人為的に調節する手段を提供することである。前記変動磁界は、表１の核種の作用磁界に示すように、直流磁界０．０１〜１００μＴから、交流磁界周波数０．０１Ｈｚ〜３００Ｈｚを作用させるものとする。
【表１】
2014014297.tif 000003
【実施例１】
【００１６】
水素、窒素、リン、カリウム物質の刺激作用は、表２により直流磁界、交流磁界を図２の変動磁界発生装置５よりクロスコイル型ユニット８のaコイルより直流磁界、ｂコイルより交流磁界を作用させることによりおこなうものである。             
【表２】
2014014297.tif 000004
図３は、前記表２に基づいて特定物質に刺激を与える変動磁場の波形である。変動磁界発生装置５で前記特定物質の核種パラメータを設定し各種手段を介してクロスコイル型ユニット８より植物に照射されるものである。                   
【００１７】
植物に与える変動磁場は、植物に水、特定栄養物質の何が不足しているかあるいは、過剰かを分析し、表１に基づき変動磁場を作用させるものである。又直流成分と交流成分の磁界は、互いに９０度で交差している場合が最も効果的である。
【実施例２】
【００１８】
永久磁石を用いた水素、マンガン、ナトリウム、カルシウム物質の刺激作用は、図４にしめすように、交流磁界の変動磁界発生装置５と固定した永久磁石７よりおこなうものである。表３は交流磁界と直流磁界の設定値と値である。  
【表３】
2014014297.tif 000005
。                                 
【００１９】
成長促進のための薬、栄養物質を一切使用しないため食の安全、安心性が確保される。
【符号の説明】
【００２０】
１      委意波形発生手段
２      発信手段
３      電力増幅手段               
４      選択手段
５      変動磁界発生装置                                       
６      植物                                     
７      永久磁石                                        
８      クロスコイル型ユニット
９      コイル・永久磁石型ユニット 
【図２】
2014014297.tif 000006
【図３】
2014014297.tif 000007
【図４】
2014014297.tif 000008
【図１】
2014014297.tif 000009